(57)【要約】【課題】ユーザーのその時の嗜好にあったバランスの取れた色をユーザーの負担が軽い操作等でユーザーに提案する。【解決手段】ユーザーに複数の色を提示しその中から複数の色を選択する色選択手段、とこの選択された複数の色と少なくとも光の3原色赤（R）緑（G）青（B）から構成された色空間からユーザーが選択した色の色重心を色空間上で演算しこの演算した色を点の色空間における対称点を演算し、この演算した結果をユーザーに提案する。【選択図】  図１
2010282335.tif 000002
【特許請求の範囲】
【請求項１】
ユーザーの嗜好にあった色提案方法及び装置においてユーザーが複数の色を選択するための色提案する色選択のための色提案手段、該提案した色をユーザーが順番に複数選択するユーザー色選択手段、ユーザーが色を選択した色とのバランスをとるためユーザーが選択した複数の色をから光の3原色を基準としてバランスを取るため色空間上でバランス演算を行い選択した色から対称色を演算する色空間対称演算手段、前記演算結果により算出した色をユーザーに提案する色提案手段を有することを特徴とする色提案方法および色提案装置
【請求項２】
前記色提案手段はユーザーが選択するための色を画面上に色表示区画を設け該区画に複数の色を表示し前記ユーザーが前記画面上の色を選択可能であり、前記色提案手段は画面上に前記演算した色を表示することを特徴とする特許請求範囲第１項記載の色提案方法および色提案装置
【請求項３】
前記色空間対称演算手段は前記ユーザーが選択した複数の色の重心を演算する色重心位置演算手段を有しユーザーが選択した複数の色とのバランスをとるため少なくともR（赤）G（緑）B（青）を含む色相環に前記色重心演算手段により演算した結果の色を前記色相環の該当色部にセットし、該色相環の中心点を基準に前記セットした該当色部の対称点を演算する色相環対称演算手段を有することを特徴とする特許請求範囲第1項記載の色提案方法および色提案装置
【請求項４】
前記複数の色の選択は選択された順に重みを付与し、前記重みを前記重心演算に反映されることを特徴とする特許請求範囲第３項あ記載の色提案方法および色提案装置
【請求項５】
前記重みは予め決められた重みあるいはユーザーのそれぞれの色の選択時間により決定されるあるいはユーザーの入力により決定されることを特徴とする特許請求範囲第４項記載の色提案方法および色提案装置
【請求項６】
前記色空間対称演算手段はユーザーが選択した複数の色とのバランスをとるためR（赤）G（緑）B（青）を頂点とする三角形で該三角形の内部にW（白）を有する光の三角形の中心位置をW（白）とし前記色重心演算手段により演算した結果の色をセットし、該光の三角形中心点（W）を通り前記セットした点との対称点を演算する光の三角形対称演算手段であることを特徴とする特許請求範囲第1項記載の色提案方法および色提案装置
【請求項７】
前記複数の色の選択は選択された順に重みを付与し、前記重みを前記重心演算に反映されることを特徴とする特許請求範囲第６項記載の色提案方法および色提案装置
【請求項８】
前記重みは予め決められた重みあるいはユーザーのそれぞれの色の選択時間により決定されるあるいはユーザーの入力により決定されることを特徴とする特許請求範囲第７項記載の色提案方法および色提案装置
【発明の詳細な説明】
【技術分野】
【０００１】
本発明は、ユーザーの嗜好からその時のユーザーに合った色を診断しその時のユーザの状況にあった色を提案する色提案方法、装置に関する。
【背景技術】
【０００２】
色というものは生活の中での人の状況に重要な役割を果たすものである。生活の中でユーザーのその時の嗜好等の状況に応じてバランスの取れた色を取り入れることは、身体やこころに安らぎを与え、バランスのとれた健康な状態を取り戻すことが可能となると言われている。特に人体の形成に不可欠な太陽光線の白色光内に存在する可視光で電磁波である３８０ｎｍから７８０ｎｍ人体には必要不可欠の電磁波エネルギーであり、心身を維持するための重要な要素があるといわれている。その時人の色の嗜好状態から欠けているものを補ってバランスをとるということは前述したように心身のバランスを取るということを考えてみても重要であると考えられる。
【０００３】
例えば特開２００８−８３４４３において配色に用いる各色彩が属する複数のグループを基調色、補助色及び強調色とし、基調色、補助色及び強調色においてそれぞれ使用する色彩を１又は複数選択し、前記各色彩の明度と彩度の関係を座標平面４上にプロットしたカラーチャート１を顧客に提示するといった方法での配色提案方法が提案されている。  
【０００４】
【特許文献１】特開２００８−８３４４３
【発明の開示】
【発明が解決しようとする課題】
【０００５】
上述のように配色を提案するのではなく、その時のユーザーの状況に応じた色バランスを考慮した色をユーザーに負担をかけずに簡便に提案可能な方法、装置が望まれていた。そこで本発明の目的は、上記の問題点に鑑みなされたものであり、そこで本発明はユーザーのその時の嗜好を把握したユーザーの状況に応じた色バランスが取れた色を提案できる色提案方法、色提案装置を提供することを目的とする。またこの方法、装置においてユーザーが容易にその時の状況を反映できることである。
【課題を解決するための手段】
【０００６】
前述の課題を解決するために本発明者らは鋭意研究の結果以下の手段をとった。すなわちユーザーの嗜好にあった色提案方法及び装置においてユーザーが複数の色を選択するための色提案する色選択のための色提案手段、該提案した色をユーザーが順番に複数選択するユーザー色選択手段、ユーザーが色を選択した色とのバランスをとるためユーザーが選択した複数の色から赤（R）緑（G）青（B）の光の3原色を基準としてバランスを取るため色空間上でバランス演算を行い選択した色から対称色を演算する色空間対称演算手段、前記演算結果により算出した色をユーザーに提案する色提案手段から構成される色提案方法および色提案装置とすればよい。ただしここでユーザーの色の選択は選択のために提案し一度ユーザーが選択した色は2度と選択できないようになっている。
【０００７】
この色提案手段はユーザーが選択するための色を画面上に色表示区画を設け該区画に複数の色を表示し、ユーザーがこの画面上の色を選択可能であり、さらに色提案手段はこの画面上に演算した結果の色を表示するようにすればよい。
【０００８】
色空間が色相環による場合について説明するが、前述の色空間対称演算手段はユーザーが選択した複数の色の重心を演算する色重心位置演算手段を設けておきユーザーが選択した複数の色とのバランスをとるため少なくともR（赤）G（緑）B（青）を含む色相環に上で色重心演算手段により演算した結果の色を色相環の該当色部にセットし、該色相環の中心点を基準にこのセットした該当色部の対称点を演算する色相環対称演算手段を設けておけばよい。
【０００９】
色の選択順についてユーザーにとって重要度が異なる場合がある。こういった場合は複数の色の選択は選択された順にそれぞれ重みを付与し、この重みを重心演算に反映するようにしておけばよい。
【００１０】
そしてこの重みは予め決められた重みあるいはユーザーのそれぞれの色の選択時間により決定されるあるいはユーザーの入力により決定されるようにしておけばよい。
【００１１】
次に色空間がR（赤）G（緑）B（青）を頂点とした三角形で該三角形の内部にW（白）を有する光の三角形の三角形である場合の説明をするが、色重心位置演算手段はユーザーが選択した複数の色とのバランスをとるためR（赤）G（緑）B（青）を頂点とする三角形で該三角形の内部にW（白）を有する光の三角形の中心位置をW（白）とし色重心演算手段により演算した結果の色をセットし、該光の三角形の中心点（W）を通りセットした点との対称点を演算する光の三角形対称演算手段を設けておけばよい。
【００１２】
前述と同様に色の選択順についてユーザーにとって重要度が異なる場合がある。こういった場合は複数の色の選択は選択された順にそれぞれ重みを付与し、この重みを重心演算に反映するようにしておけばよい。
【００１３】
そしてこの重みは予め決められた重みあるいはユーザーのそれぞれの色の選択時間により決定されるあるいはユーザーの入力により決定されるようにしておけばよい。
【発明の効果】
【００１４】
以上説明したように本発明によればユーザーの状況に合致したバランスの取れた色を提案できる色提案方法、装置を提供できる。また，本発明によればコンピュータによりユーザーに過度な操作等の負担をかけずに、簡便に色を提案するシステムを提供できる。
【発明を実施するための最良の形態】
【００１５】
以下、本発明の実施の形態を図面を参照して説明する。本発明の実施形態に係わる色提案システムの構成例を図１に示す。図１（ａ）に図示されるように入出力制御部、演算処理部、記憶部から構成される１０１の処理部、ユーザーに画面を表示する画像表示部１０２、ユーザーが入力する入力部１０３から構成される。図1（ｂ）はフロチャートを示しておりＳ１において（ａ）の１０２の画像表示部によりユーザーに色提案を行い、Ｓ２において（ａ）の１０３の入力部からユーザーの色の選択入力処理を行う。次にＳ３において（ａ）１０１の処理部において選択された色の重心の演算を行い、さらにＳ４において重心演算の結果を基に色空間上の対称色を演算する。そしてその結果をＳ５において（ａ）の１０２の画像表示部においてユーザーに提案する。
【００１６】
さらに対称の色の演算について説明するが、図２において色空間は色相環を使った場合で説明する。ここで色相環において２０１：赤、２０２：オレンジ、２０３：黄、２０４黄緑、２０５緑、２０６青緑、２０７青、２０８青紫、２０９紫、２１０赤紫の各色から構成されておりこの各色をユーザーが選択するための提案表示の色とする。
【００１７】
図1（ａ）１０２の画面に表示する様子を図3に示した。ここで１、２、３・・・１０はそれぞれ図２の２０１、２０２、２０３・・・・２１０の各色に対応する。ここで画面下部にあるようにユーザが選択した色を入力する。ここでは2色目、3色目の選択があるがこれに限られるものではなく多色選択してもよいが、ここでは2色の場合と3色の場合で説明する。
【００１８】
図4は２色選択した場合の演算の例であり、第1の選択で４０１の青を選び、第2の選択で４０２の赤紫を選択した時の例であり演算の結果は４０３の黄色がかった黄緑となっている。この色がユーザーへのバランスを考慮した提案の色となり、図1（ａ）の画像表示部においてユーザーに提案する。
【００１９】
次に3色選択した時の演算の様子を図5に示したが第1の選択で５０１の青を選び、第2の選択で５０２の赤紫を選択し、第3の選択で５０３の青緑の例であり演算の結果は５０４のあかみがかったオレンジとなっている。この色がユーザーへのバランスを考慮した提案の色となり、図1（ａ）の画像表示部においてユーザーに提案する。
【００２０】
次に入力の順番により重み付けを行った場合について説明するがその様子を図６に示した。２色選択した場合の演算の例であり、第1の選択で６０１の青を選び、第2の選択で６０２の赤紫を選択した時の例であり重み付けは７：３として演算を行った。第1の選択と第2の選択の色の重心は７：３で演算し６０３の位置となりこの部分の対称を演算した結果は６０４黄みがかったオレンジとなっている。この色がユーザーへのバランスを考慮した提案の色となり、図1（ａ）の画像表示部において提案する。
【００２１】
同様に3色を入力し順番により重み付けを行った場合について説明するがその様子を図７に示した。この時も２色選択の時と同様に重み付けは前に入力したものと比を７：３として演算を行った。第1の選択で７０１の青を選び、第2の選択で７０２の赤紫を選択し、第3の選択で５０３の青緑の例であり演算の結果は第1選択と第2選択の重み付け重心はの演算の結果７０４となりさらに７０４と第３の選択の重み付け重心はの演算の結果７０５となっており７０５の対称点の演算結果が７０６のオレンジとなっている。この色がユーザーへのバランスを考慮した提案の色となり、図1（ａ）の画像表示部において提案する。
【００２２】
以上のように重み付けは予め決められた固定の７：３で行っているが他の方法も考えられる。図8はユーザーの色の選択の時間を考慮した場合のユーザーに示す画面の例であり、ここでユーザーはスタートボタンによりスタート入力を行った後第1色目、第2色目・・・を入力していく。この時スタートから第1色目入力完了までの時間、第1色目入力完了から第2色目入力完了までの時間、3色目まで入力する場合第2色目入力完了から第3色目入力完了までの時間を検出する。そして重み付けとして例えばスタートから第1色目入力完了までの時間が1秒で第1色目入力完了から第2色目入力完了までの時間が２秒の場合、第1色と第2色の重み付けの比率を２：１とすればよい。さらに第2色目入力完了から第3色目入力完了までの時間3秒の場合、スタートから第1色目入力完了までの時間及び第1色目入力完了から第2色目入力完了までの時間の平均値は１．５秒であるので、第1色目と第2色目の色重心の位置と3色目の重み付けの比は３：１．５とすればよい。
【００２３】
他の重み付け方法としてユーザーが直接重み付けを入力する場合も考えられる。その時の入力画面を図9に示した。ここでユーザーは下部の「前の色の重み」、「後の色の重み」を入力することにより重み付けが決定される。ユーザーが６：４と入力した場合、先ほどの予め決められた固定の重み付けの部分を６：４として演算していけばよい。
【００２４】
さらに対称の色の演算について他の方法を説明するが、図１０において色空間は白（Ｗ）を内部に有する光の三角形を使った場合で説明する。ここで１００１：赤、１００２：オレンジ、１００３：黄、１００４：緑、１００５：青、１００６：藍、１００７：紫７色を選択のための提案の色としている。
【００２５】
図1（ａ）１０２の画面に表示する様子を図１１に示した。ここで１、２、３・・・７はそれぞれ図１０の１００１、１００２、１００３・・・・１００７の各色に対応する。ここで画面下部にあるようにユーザが選択した色を入力する。ここでは2色目、3色目の選択があるがこれに限られるものではなく多色選択してもよいが、ここでは2色の場合と3色の場合で説明する。
【００２６】
図１２は２色選択したときの場合の演算の例であり、第1の選択で１２０１の緑を選び、第2の選択で１２０２の黄を選択した時の例であり演算の結果は１２０３の紫となっている。この色がユーザーへのバランスを考慮した提案の色となり、図1（ａ）の画像表示部においてユーザーに提案する。
【００２７】
次に3色選択した時の演算の様子を図１３に示したが第1の選択で１３０１の緑を選び、第2の選択で１３０２の黄を選択し、第3の選択で１３０３の紫の例であり演算の結果は１３０４の赤みがかったオレンジとなっている。この色がユーザーへのバランスを考慮した提案の色となり、図1（ａ）の画像表示部において提案する。
【００２８】
次に入力の順番により重み付けを行った場合について説明するがその様子を図１４に示した。第1の選択で１４０１の緑を選び、第2の選択で１４０２の黄を選択した時の例でありあり重み付けは７：３として演算を行った。第1の選択と第2の選択の色の重心は７：３で演算し１４０３の位置となりこの部分の対称を演算した結果は１４０４は赤みがかった紫となっている。この色がユーザーへのバランスを考慮した提案の色となり、図1（ａ）の画像表示部において提案する。
【００２９】
同様に3色を入力し順番により重み付けを行った場合について説明するがその様子を図１５に示した。この時も２色選択の時と同様に重み付けは前に入力したものと比を７：３として演算を行った。第1の選択で１５０１の緑を選び、第2の選択で１５０２の黄を選択し、第3の選択で１５０３の紫の例であり演算の結果は第1選択と第2選択の重み付け重心は演算の結果１５０４となりさらに１５０４と第３の選択の重み付け重心は演算の結果１５０５であり１５０５の対称点の演算結果が１５０６の黄みがかったオレンジとなっている。
【００３０】
以上のように重み付けは予め決められた固定の７：３で行っているが他の方法も考えられる。図１６はユーザーの色の選択の時間を考慮した場合のユーザーに示す画面の例であり、ここでユーザーはスタートボタンによりスタート入力を行った後第1色目、第2色目・・・を入力していく。この時スタートから第1色目入力完了までの時間、第1色目入力完了から第2色目入力完了までの時間、3色目まで入力する場合第2色目入力完了から第3色目入力完了までの時間を検出する。そして重み付けとして例えばスタートから第1色目入力完了までの時間が1秒で第1色目入力完了から第2色目入力完了までの時間が２秒の場合、第1色と第2色の重み付けの比率を２：１とすればよい。さらに第2色目入力完了から第3色目入力完了までの時間3秒の場合、スタートから第1色目入力完了までの時間及び第1色目入力完了から第2色目入力完了までの時間の平均値は１．５秒であるので、第1色目と第2色目の色重心の位置と3色目の重み付けの比は３：１．５とすればよい。
【００３１】
他の方法としてユーザーが直接重み付けを入力する場合も考えられる。その時の入力画面を図１７に示した。ここでユーザーは下部の「前の色の重み」、「後の色の重み」を入力することにより重み付けが決定される。ユーザーが６：４と入力した場合、先ほどの予め決められた固定の重み付けの部分を６：４として演算していけばよい。
【００３２】
以上説明したがユーザーに提案する色の数は１０色と７色の場合の説明をしたが、これに限られるものではなく状況に応じて提案の色は選択すればよいが、ユーザーの状況の把握を簡便にするために提案の色の数は多いと簡便には選択できなくなるため１６色以内が好ましい。また色数が少ないと偏りが出る可能性があるので少なくとも光の三原色赤、緑、青を含む６色以上が適当である。
【図面の簡単な説明】
【００３３】
【図１】全体の構成とフロー
【図２】色相環
【図３】ユーザーへの色提案の画面
【図４】色相環における２色選択の場合の重心演算
【図５】色相環における３色選択の場合の重心演算
【図６】重み付けを考慮した色相環における２色選択の場合の重心演算
【図７】重み付けを考慮した色相環における３色選択の場合の重心演算
【図８】入力時間を重み付け使用する場合の画面
【図９】ユーザーが重み付け入力する場合
【図１０】光の三角形
【図１１】ユーザーへの色提案の画面
【図１２】光の三角形における２色選択の場合の重心演算
【図１３】の三角形における３色選択の場合の重心演算
【図１４】重み付けを考慮したの三角形における２色選択の場合の重心演算
【図１５】重み付けを考慮したの三角形における３色選択の場合の重心演算
【図１６】入力時間を重み付け使用する場合の画面
【図１７】ユーザーが重み付け入力する場合
【図１】
2010282335.tif 000003
【図２】
2010282335.tif 000004
【図３】
2010282335.tif 000005
【図４】
2010282335.tif 000006
【図５】
2010282335.tif 000007
【図６】
2010282335.tif 000008
【図７】
2010282335.tif 000009
【図８】
2010282335.tif 000010
【図９】
2010282335.tif 000011
【図１０】
2010282335.tif 000012
【図１１】
2010282335.tif 000013
【図１２】
2010282335.tif 000014
【図１３】
2010282335.tif 000015
【図１４】
2010282335.tif 000016
【図１５】
2010282335.tif 000017
【図１６】
2010282335.tif 000018
【図１７】
2010282335.tif 000019